【手続補正書】
【提出日】令和1年8月23日(2019.8.23)
【手続補正１】
【補正対象書類名】特許請求の範囲
【補正対象項目名】全文
【補正方法】変更
【補正の内容】
【特許請求の範囲】
【請求項１】
ダイナミックレンジ調整を実行することによって調整されたビデオデータを復号する方法であって、前記方法は、
符号化ビデオビットストリームから少なくとも１つの補足エンハンスメント情報（ＳＥＩ）メッセージを受信することと、前記少なくとも１つのＳＥＩメッセージは、前記ダイナミックレンジ調整がどのように前記ビデオデータに適用されたかを指定する調整情報を示し、ここにおいて、前記調整情報は、前記ビデオデータのコンポーネント値のレンジが前記ダイナミックレンジ調整中に区分された、いくつかの数のパーティションの各々に適用されるグローバルオフセット値を含み、前記調整情報が、前記パーティションの各々のためのローカルオフセット値とローカルスケール値とをさらに含み、
前記ビデオデータから調整されていないコンポーネント値を発生するために、前記調整情報に従って、前記ビデオデータに対して逆ダイナミックレンジ調整を実行することと、ここにおいて、前記逆ダイナミックレンジ調整を実行することは、パーティションの前記数に従って、前記調整されていないコンポーネント値を発生することを含み、前記調整されていないコンポーネント値を発生することは、前記ローカルオフセット値と前記ローカルスケール値とに従って、前記調整されていないコンポーネント値を発生することを含む、を備える、方法。
【請求項２】
前記グローバルオフセット値が第１のグローバルオフセット値であり、前記第１のグローバルオフセット値が、前記ビデオデータに対して前記ダイナミックレンジ調整を実行するより前に、前記第１のグローバルオフセット値よりも小さい調整されていないコンポーネント値の代わりに使用され、
ここにおいて、前記調整情報が第２のグローバルオフセット値をさらに含み、
ここにおいて、前記ビデオデータに対して前記逆ダイナミックレンジ調整を実行することが、
前記第２のグローバルオフセット値にマッチするコンポーネント値を前記第１のグローバルオフセット値にマッピングすること、
を含む、
請求項１に記載の方法。
【請求項３】
前記グローバルオフセット値が第１のグローバルオフセット値であり、前記第１のグローバルオフセット値が、前記ビデオデータに対して前記ダイナミックレンジ調整を実行するより前に、前記第１のグローバルオフセット値よりも小さい調整されていないコンポーネント値の代わりに使用され、
ここにおいて、前記ビデオデータに対して前記逆ダイナミックレンジ調整を実行することが、
メタデータ、ビデオユーザビリティ情報、ビデオパラメータセット、シーケンスパラメータセット、ピクチャパラメータ、スライスヘッダ、またはＣＴＵヘッダのうちの１つまたは複数から第２のグローバルオフセット値を導出することと、
前記第２のグローバルオフセット値にマッチするコンポーネント値を前記第１のグローバルオフセット値にマッピングすることと、
を含む、
請求項１に記載の方法。
【請求項４】
前記グローバルオフセット値が第１のグローバルオフセット値であり、
ここにおいて、前記ビデオデータに対して前記逆ダイナミックレンジ調整を実行することが、
メタデータ、ビデオユーザビリティ情報、ビデオパラメータセット、シーケンスパラメータセット、ピクチャパラメータ、スライスヘッダ、またはＣＴＵヘッダのうちの１つまたは複数から第２のグローバルオフセット値を導出することと、ここにおいて、前記第２のグローバルオフセット値が、前記ビデオデータに対して前記ダイナミックレンジ調整を実行するより前に、前記第２のグローバルオフセット値よりも小さい調整されていないコンポーネント値の代わりに使用された値である、
前記第１のグローバルオフセット値にマッチするコンポーネント値を前記第２のグローバルオフセット値にマッピングすることと、
を含む、
請求項１に記載の方法。
【請求項５】
少なくとも前記グローバルオフセット値から追加の調整情報を導出すること、前記追加の調整情報は、前記ダイナミックレンジ調整がどのように前記ビデオデータに適用されたかをさらに指定する、
をさらに備える、請求項１に記載の方法。
【請求項６】
前記調整情報が１つのパーティションを指定し、ここにおいて、前記１つのパーティションがすべてのコンポーネントに適用される、請求項１に記載の方法。
【請求項７】
前記ビデオデータがルーマコンポーネントとクロマコンポーネントとを含み、ここにおいて、前記調整情報は、前記ルーマコンポーネントが前記ダイナミックレンジ調整中に区分されたパーティションの第１の数と、前記クロマコンポーネントの第１のセットが前記ダイナミックレンジ調整中に区分されたパーティションの第２の数と、前記クロマコンポーネントの第２のセットが前記ダイナミックレンジ調整中に区分されたパーティションの第３の数とを含み、ここにおいて、前記逆ダイナミックレンジ調整を実行することが、
パーティションの前記第１の数に従って、調整されていないルーマコンポーネント値を発生することと、
パーティションの前記第２の数に従って、クロマコンポーネントの前記第１のセットに対応する調整されていないクロマコンポーネント値を発生することと、
パーティションの前記第３の数に従って、クロマコンポーネントの前記第２のセットに対応する調整されていないクロマコンポーネント値を発生することと
を含む、請求項１に記載の方法。
【請求項８】
前記ビデオデータが赤色、緑色、および青色コンポーネントを含み、ここにおいて、前記調整情報は、前記赤色コンポーネントが前記ダイナミックレンジ調整中に区分されたパーティションの第１の数と、前記緑色コンポーネントが前記ダイナミックレンジ調整中に区分されたパーティションの第２の数と、前記青色コンポーネントが前記ダイナミックレンジ調整中に区分されたパーティションの第３の数とを含み、ここにおいて、前記逆ダイナミックレンジ調整を実行することが、
パーティションの前記第１の数に従って、調整されていない赤色コンポーネント値を発生することと、
パーティションの前記第２の数に従って、調整されていない緑色コンポーネント値を発生することと、
パーティションの前記第３の数に従って、調整されていない青色コンポーネント値を発生することと
を含む、請求項１に記載の方法。
【請求項９】
パーティションの前記数が、パーティションの前記数の関数の対数として表される、請求項１に記載の方法。
【請求項１０】
前記少なくとも１つのＳＥＩメッセージから追加の調整情報を導出すること、前記追加の調整情報は、前記ダイナミックレンジ調整がどのように前記ビデオデータに適用されたかをさらに指定する、
をさらに備える、請求項１に記載の方法。
【請求項１１】
前記ビデオデータに対して前記逆ダイナミックレンジ調整を実行することは、
前記ビデオデータの各コンポーネントのための各入力サンプルのために、前記入力サンプルが属するパーティションを決定することと、
前記パーティションの各々のために、前記調整されていないコンポーネント値を発生することと、
を含む、請求項１に記載の方法。
【請求項１２】
ビデオデータを符号化する方法であって、
前記ビデオデータから調整されたコンポーネント値を発生するために、前記ビデオデータに対してダイナミックレンジ調整を実行することと、
符号化ビデオビットストリーム中で少なくとも１つの補足エンハンスメント情報（ＳＥＩ）メッセージを発生することと、前記少なくとも１つのＳＥＩメッセージは、前記ダイナミックレンジ調整がどのように前記ビデオデータに適用されたかを指定する調整情報を示し、ここにおいて、前記調整情報は、前記ビデオデータのコンポーネント値のレンジが前記ダイナミックレンジ調整中に区分された、いくつかの数のパーティションの各々に適用されるグローバルオフセット値を含み、前記調整情報が、前記パーティションの各々のためのローカルオフセット値とローカルスケール値とをさらに含む、
を備え、
前記ビデオデータに対して前記ダイナミックレンジ調整を実行することは、
パーティションの前記数、前記ローカルオフセット値、および前記ローカルスケールに従って、前記調整されたコンポーネント値を発生すること、
を含む、方法。
【請求項１３】
ダイナミックレンジ調整を実行することによって調整されたビデオデータを復号するように構成された装置であって、前記装置は、
前記ビデオデータを記憶するように構成されたメモリと、
１つまたは複数のプロセッサと
を備え、前記１つまたは複数のプロセッサは、
符号化ビデオビットストリーム中で少なくとも１つの補足エンハンスメント情報（ＳＥＩ）メッセージを受信することと、前記少なくとも１つのＳＥＩメッセージは、前記ダイナミックレンジ調整がどのように前記ビデオデータに適用されたかを指定する調整情報を示し、ここにおいて、前記調整情報は、前記ビデオデータのコンポーネント値のレンジが前記ダイナミックレンジ調整中に区分された、いくつかの数のパーティションの各々に適用されるグローバルオフセット値を含み、前記調整情報が、前記パーティションの各々のためのローカルオフセット値とローカルスケール値とをさらに含み、
前記ビデオデータから調整されていないコンポーネント値を発生するために、前記調整情報に従って、前記ビデオデータに対して逆ダイナミックレンジ調整を実行することと、ここにおいて、逆ダイナミックレンジ調整を実行することは、パーティションの前記数に従って、前記調整されていないコンポーネント値を発生することを含み、前記調整されていないコンポーネント値を発生することは、前記ローカルオフセット値と前記ローカルスケール値とに従って、前記調整されていないコンポーネント値を発生することを含む、を行うように構成された、装置。
【請求項１４】
ビデオを符号化するように構成された装置であって、前記装置は、
前記ビデオデータを記憶するように構成されたメモリと、
１つまたは複数のプロセッサと、
を備え、前記１つまたは複数のプロセッサは、
前記ビデオデータから調整されたコンポーネント値を発生するために、前記ビデオデータに対してダイナミックレンジ調整を実行することと、
符号化ビデオビットストリーム中で少なくとも１つの補足エンハンスメント情報（ＳＥＩ）メッセージを発生することと、前記少なくとも１つのＳＥＩメッセージは、前記ダイナミックレンジ調整がどのように前記ビデオデータに適用されたかを指定する調整情報を示し、ここにおいて、前記調整情報は、前記ビデオデータのコンポーネント値のレンジが前記ダイナミックレンジ調整中に区分された、いくつかの数のパーティションの各々に適用されるグローバルオフセット値を含み、前記調整情報が、前記パーティションの各々のためのローカルオフセット値とローカルスケール値とをさらに含む、
を行うように構成され、
前記ビデオデータに対して前記ダイナミックレンジ調整を実行することは、
パーティションの前記数、前記ローカルオフセット値、および前記ローカルスケールに従って、前記調整されたコンポーネント値を発生すること、
を含む、装置。
【請求項１５】
ダイナミックレンジ調整を実行することによって調整されたビデオデータを復号するためのコンピュータプログラム製品であって、前記コンピュータプログラム製品は、実行されたとき、プロセッサに、請求項１〜１１のいずれか一項に記載の方法を実行させる命令を記憶したコンピュータ可読媒体を備える、コンピュータプログラム製品。